(57)【要約】【課題】ディスクが載置される複数の凹部を一面に設けた板部材を備えたディスクドライブ装置において、装置本体を傾けた場合、又は外部から振動・衝撃が加えられた場合、載置されたディスクが前記凹部から離脱されることを阻止し、ディスクの損傷、装置の故障等が生じることを未然に防ぐ。【解決手段】ディスクドライブ装置において、回転テーブル４の上面４１側に、回転テーブル４の載置凹部５,５,５,…に載置されたディスクの該載置凹部５,５,５,…からの離脱を阻止する離脱阻止部材８を設ける。【選択図】図１
2011096314.tif 000002
【特許請求の範囲】
【請求項１】
ディスクが載置される複数の凹部を一面に設けた板部材を備え、何れかの凹部からディスクをクランプするディスクドライブ装置において、
前記板部材の前記一面側に、載置されたディスクと接触又は離隔するように配設され、該ディスクの前記凹部からの離脱を阻止する離脱阻止部材を設けてあることを特徴とするディスクドライブ装置。
【請求項２】
前記離脱阻止部材及び載置されたディスクの間隔は、前記凹部の深さ以下であるように構成してあることを特徴とする請求項１に記載のディスクドライブ装置。
【請求項３】
前記離脱阻止部材は、前記板部材と平行に配置されている板部を備えていることを特徴とする請求項２に記載のディスクドライブ装置。
【請求項４】
前記板部は、前記ディスクのデータを読み取る読取部材が挿入される切欠を設けてあることを特徴とする請求項３に記載のディスクドライブ装置。
【請求項５】
前記離脱阻止部材は、
前記板部材の前記一面と対向配設された対向部材に、該板部材に向かって設けられた突出部を備えることを特徴とする請求項２に記載のディスクドライブ装置。
【請求項６】
前記突出部は弾性を有することを特徴とする請求項５に記載のディスクドライブ装置。
【請求項７】
前記突出部はピン形状を有し、
前記板部材は回転可能に構成されており、
前記板部材の一面には、該板部材の回転の際に前記突出部と整合する位置に沿って、溝を設けてあることを特徴とする請求項５に記載のディスクドライブ装置。
【発明の詳細な説明】
【技術分野】
【０００１】
本発明は、複数のディスクを板部材に載置し、何れかのディスクをクランプするディスクドライブ装置に関する。
【背景技術】
【０００２】
複数のディスクを回転テーブルに共にセットして、これらディスクの連続再生ができるように構成されたディスク再生装置が知られている。
【０００３】
図７は、このように連続再生可能なディスク再生装置に用いられる、従来のディスクドライブ装置の一例を示す例示図である。
【０００４】
ディスクドライブ装置は、本体２と、図中矢印方向に移動し、該本体２への収納及び排出可能に取り付けられたトレイ３とを備えている。トレイ３には、複数のディスクＤを載置する回転テーブル４が取り付けられており、回転テーブル４の一面には、複数のディスクを載置するための複数の載置凹部５,５,５,…が形成されている。また、載置凹部５,５,５,…には、後述するヘッドユニット６が挿入されるための挿入切欠５１が夫々形成されている。
【０００５】
一方、本体２はディスクＤを回転させ、ディスクＤに記録されているデータを読み取るヘッドユニット６を備えており、ヘッドユニット６は保持シャーシ７に取り付けられている。ヘッドユニット６は、ディスクＤをクランプするディスククランパ６１と、クランプされたディスクＤを回転させるターンテーブル６２と、ターンテーブル６２を駆動させるディスクモータ６３と、ディスクＤに記録されているデータを読み取るヘッド（図示せず）とを備えている。
【０００６】
回転テーブル４が回転することによって、何れかの載置凹部５,５,５,…に載置されたディスクがヘッドユニット６との整合位置に位置することとなり、前記ヘッドによる当該ディスクの読み取りが行われる。
【０００７】
例えば、特許文献１には、上述したようなディスクドライブ装置を装着したディスク再生装置が開示されている。
【先行技術文献】
【特許文献】
【０００８】
【特許文献１】特開平８−７７６７５号公報
【発明の概要】
【発明が解決しようとする課題】
【０００９】
しかしながら、上述したような特許文献１のディスク再生装置においては、複数のディスクがトレイ（回転テーブル）に載置されているのみであるので、載置凹部から離脱しやすいという問題がある。例えば、複数のディスクを載置した状態で、ディスク再生装置を傾けて別の場所へ持ち運びした場合、又は外部から振動・衝撃が加えられた場合、ディスクは前記載置凹部から離脱される。このような状態のまま、ディスクの再生を開始した場合は、所定のディスクをヘッドユニット側へ移動させるための回転テーブルの回転によって、離脱したディスク同士の衝突が起き、ディスクの損傷、装置の故障等の原因となる。
【００１０】
本発明は、斯かる事情に鑑みてされたものであり、その目的とするところは、ディスクが載置される複数の凹部を一面に設けた板部材を備え、何れかの凹部からディスクをクランプするディスクドライブ装置において、前記板部材の前記一面側に、載置されたディスクの前記凹部からの離脱を阻止する離脱阻止部材を設けることにより、例えば、装置自機を傾けた場合、又は外部から振動・衝撃が加えられた場合であっても、載置されたディスクが前記凹部から離脱されることを阻止でき、離脱されたディスクの損傷、離脱されたディスクに起因する装置の故障等を未然に防止することが出来るディスクドライブ装置を提供することにある。
【課題を解決するための手段】
【００１１】
本発明に係るディスクドライブ装置は、ディスクが載置される複数の凹部を一面に設けた板部材を備え、何れかの凹部からディスクをクランプするディスクドライブ装置において、前記板部材の前記一面側に、載置されたディスクと接触又は離隔するように配設され、該ディスクの前記凹部からの離脱を阻止する離脱阻止部材を設けてあることを特徴とする。
【００１２】
本発明にあっては、前記離脱阻止部材は、例えば、装置自機を傾けた場合、又は外部から装置に振動・衝撃が加えられた場合における、該ディスクの前記凹部からの離脱を前記板部材の前記一面側から阻止する。
【００１３】
本発明に係るディスクドライブ装置は、前記離脱阻止部材及び載置されたディスクの間隔は、前記凹部の深さ以下であるように構成してあることを特徴とする。
【００１４】
本発明にあっては、前記離脱阻止部材及び載置されたディスクの間隔が前記凹部の深さ以下であり、前記凹部からディスクが抜けだしそうな時、前記離脱阻止部材によって阻止される。
【００１５】
本発明に係るディスクドライブ装置は、前記離脱阻止部材は、前記板部材と平行に配置されている板部を備えていることを特徴とする。
【００１６】
本発明にあっては、前記離脱阻止部材の板部が前記板部材と平行に配置され、該離脱阻止部材と載置されたディスクとの間隔が載置されたすべてのディスクに対して一定に保持され、載置された何れのディスクに対しても離脱が阻止される。
【００１７】
本発明に係るディスクドライブ装置は、前記板部は、前記ディスクのデータを読み取る読取部材が挿入される切欠を設けてあることを特徴とする。
【００１８】
本発明にあっては、前記読取部材が前記切欠を通して、前記離脱阻止部材の板部に挿入して板部材の凹部に載置されたディスクをクランプして該ディスクのデータを読み取る。
【００１９】
本発明に係るディスクドライブ装置は、前記離脱阻止部材は、前記板部材の前記一面と対向配設された対向部材に、該板部材に向かって設けられた突出部を備えることを特徴とする。
【００２０】
本発明にあっては、前記対向部材が前記板部材の前記一面と対向するように配設され、前記対向部材に前記板部材に向かって設けられた前記突出部は、例えば、装置自機を傾けた場合、又は外部から装置に振動・衝撃が加えられた場合における、該ディスクの前記凹部からの離脱を阻止する。
【００２１】
本発明に係るディスクドライブ装置は、前記突出部は弾性を有することを特徴とする。
【００２２】
本発明にあっては、前記突出部が弾性を有するので、例えば、前記離脱阻止部材（突出部）が前記凹部に載置されたディスクと接触する場合、該離脱阻止部材は適宜変形し、該ディスクの前記凹部からの離脱を阻止する。
【００２３】
本発明に係るディスクドライブ装置は、前記突出部はピン形状を有し、前記板部材は回転可能に構成されており、前記板部材の一面には、該板部材の回転の際に前記突出部と整合する位置に沿って、溝を設けてあることを特徴とする。
【００２４】
本発明にあっては、前記板部材が回転する場合、前記離脱阻止部材の突出部が前記溝に挿入されるので、相対的には、前記突出部が前記溝に沿って移動することとなる。
【発明の効果】
【００２５】
本発明によれば、ディスクが載置される複数の凹部を一面に設けた板部材を備え、何れかの凹部からディスクをクランプするディスクドライブ装置の前記板部材の前記一面側に、載置されたディスクの前記凹部からの離脱を阻止する離脱阻止部材が設けられているので、例えば、装置自機を傾けた場合、又は外部から振動・衝撃を受けた場合であっても、載置されたディスクが前記凹部から離脱されず、離脱されたディスクの損傷、離脱されたディスクに起因する装置の故障等が生じることを未然に防ぐことが出来る。
【図面の簡単な説明】
【００２６】
【図１】本発明の実施の形態１に係るディスクドライブ装置の一部を破断した斜視図である。
【図２】トレイが本体へ収納された場合における、図１のＣ−Ｃ線による断面図である。
【図３】実施の形態１に係るディスクドライブ装置において、離脱阻止部材の離脱阻止板部と、回転テーブルに載置されたディスクとの間隔を説明するための説明図である。
【図４】本発明の実施の形態２に係るディスクドライブ装置の要部構成を示す模式的断面図である。
【図５】本発明の実施の形態３に係るディスクドライブ装置の回転テーブルを示す斜視図である。
【図６】本発明の実施の形態３に係るディスクドライブ装置の要部構成を示す模式的断面図である。
【図７】連続再生可能なディスク再生装置に用いられる、従来のディスクドライブ装置の一例を示す例示図である。
【発明を実施するための形態】
【００２７】
以下、本発明に係るディスクドライブ装置を、図面を用いて具体的に説明する。以下、図７と同様の部分については同一の符号を付して説明する。
【００２８】
（実施の形態１）
図１は本発明の実施の形態１に係るディスクドライブ装置の一部を破断した斜視図である。本発明の実施の形態１に係るディスクドライブ装置１は、本体２と、図１中矢印（Ａ）方向に移動可能に本体２に取り付けられ、本体２へ収納及び本体２から排出されるトレイ３とを備えている。
【００２９】
図２はトレイ３が本体２へ収納された場合における、図１のＣ−Ｃ線による断面図である。
【００３０】
トレイ３の上面３１には、複数のディスクＤを載置する回転テーブル４を取り付けるための円形凹部３２が形成されており、円形凹部３２に回転テーブル４が収容され、回転可能に取り付けられている。
【００３１】
回転テーブル４は円板状であり、回転テーブル４の上面４１には、複数のディスクを載置するための複数の載置凹部５,５,５,…が形成されている。載置凹部５,５,５,…は回転中心５２を中心にして放射状に配設されている。載置凹部５,５,５,…は１２ｃｍＣＤに対応する円形であり、内側には８ｃｍＣＤに対応する円形の凹部が更に形成されている。回転テーブル４には、回転テーブル４の円周縁から、載置凹部５,５,５,…の中心部にかけて挿入切欠５１,５１,５１,…が形成されている。後述するヘッドユニット６は挿入切欠５１,５１,５１,…を通して載置凹部５,５,５,…に挿入され、ディスクＤをクランプして該ディスクＤのデータを読み取る。
【００３２】
一方、本体２は直方体形状を有しており、回転テーブル４に載置されたディスクＤを回転させ、該ディスクＤに記録されているデータを読み取るヘッドユニット６と、該ヘッドユニット６が取り付けられている保持シャーシ７と、保持シャーシ７に取り付けられ、載置凹部５,５,５,…からのディスクＤの離脱を阻止する離脱阻止部材８とを備えている。また、本体２は正面側の側壁２２にトレイ３の収納及び排出のための開口２１を有している。
【００３３】
保持シャーシ７は本体２の側壁に沿って配設された板材からなる。本体２の正面側の側壁２２と対向する背面側の側壁２５の付近に配設された保持シャーシ７ａと、本体２の左右側の側壁付近に配設された保持シャーシ７ｂを有している。
【００３４】
ヘッドユニット６は、保持シャーシ７ａに保持されている。ヘッドユニット６は保持シャーシ７ａから本体２の中央部に向けて突設されている。
【００３５】
ヘッドユニット６は、ディスクＤをクランプするディスククランパ６１と、クランプされたディスクＤを回転させるターンテーブル６２と、ターンテーブル６２を駆動させるディスクモータ６３と、ディスクＤに記録されているデータを読み取るヘッド６８とを備えている。
【００３６】
また、ヘッドユニット６は、本体２の中央部に向けて延びる短冊状の上部板６４及び下部板６７を備えている。上部板６４及び下部板６７は回転テーブル４と平行になるように、対向配設されており、夫々の先端部にはＲ加工が施されている。上部板６４にはディスククランパ６１が取り付けられており、下部板６７にはターンテーブル６２、ディスクモータ６３及びヘッド６８が取り付けられている。
【００３７】
なお、ヘッド６８は、下部板６７の長手方向に移動可能に、換言すれば、クランプされたディスクＤの径方向に沿って移動可能に設けられている。また、下部板６７は基部板６６を介して保持シャーシ７ａに取り付けられており、回転軸６５を中心に、図１中矢印Ｂの方向に回動可能に取り付けられている。ディスクＤの読み取りが行われる際、下部板６７は上部板６４と平行する位置まで回動し、ヘッド６８は下部板６７の長手方向に移動しながら、ディスクＤのデータを読み取る。
【００３８】
回転テーブル４が回転することによって、何れかの載置凹部５,５,５,…に載置されたディスクＤがヘッドユニット６との整合位置に位置することとなり、ディスククランパ６１が当該ディスクＤをクランプする。ターンテーブル６２はディスククランパ６１によってクランプされたディスクＤを回転させる。ディスクモータ６３は回転軸６５を介してターンテーブル６２を回転させる。ヘッド６８は、ターンテーブル６２によって回転するディスクＤに記録されているデータを読み取る。
【００３９】
保持シャーシ７のうち、本体２の左右側の側壁付近に配設された保持シャーシ７ｂの何れか一方には、離脱阻止部材８が取り付けられている。離脱阻止部材８は、トレイ３が本体２内に収納された場合に回転テーブル４と適宜離れて平行に対向する離脱阻止板部８１と、該離脱阻止板部８１を保持シャーシ７ｂに保持させる保持基部８２とを備えている。離脱阻止板部８１は円板状をなしており、トレイ３が本体２内に収納された場合、回転テーブル４と対向して整合するように設けられている。保持基部８２は離脱阻止板部８１の円周縁から上方に延びており、その端部が更に離脱阻止板部８１の径方向に延び、保持シャーシ７ｂに取り付けられている。
【００４０】
また、離脱阻止部材８は、離脱阻止板部８１と、回転テーブル４に載置されたディスクＤとの間隔が、回転テーブル４の載置凹部５,５,５,…の深さ以下になるように構成されている。図３は離脱阻止部材８の離脱阻止板部８１と、回転テーブル４に載置されたディスクＤとの間隔を説明するための説明図である。すなわち、離脱阻止部材８の離脱阻止板部８１と、回転テーブル４に載置されたディスクＤとの間隔ΔＧ１が、載置凹部５,５,５,…（１２ｃｍＣＤに対応する）の深さΔＧ２と同じ又はΔＧ２より小さいように構成されている。従って、本体２の傾け又は外部からの衝撃等によって、載置凹部５,５,５,…からディスクＤが抜けだしそうな時、離脱阻止部材８（離脱阻止板部８１）によって阻止され、ディスクＤの載置凹部５,５,５,…からの離脱を防止することが出来る。
【００４１】
また、離脱阻止部材８には、離脱阻止板部８１の円周縁であって、ヘッドユニット６側に、切欠８４が形成されている。切欠８４は円弧形であり、切欠８４を通じてヘッドユニット６が離脱阻止板部８１の内側に挿入されている。すなわち、切欠８４に該当する位置においては、離脱阻止部材８によるディスクＤの離脱阻止が解除され、ヘッドユニット６による、ディスクＤのクランプ、回転、データ読み取り等が可能になる。
【００４２】
なお、実施の形態１においては、載置凹部５,５,５,…を備える回転テーブル４が回転する構成である場合を例として説明したが、これに限るものでない。例えば、ヘッドユニット６が回転テーブル４の周方向に回転するように構成してもよい。斯かる場合は、載置凹部５,５,５,…毎に対応する切欠８４を形成する必要がある。
【００４３】
（実施の形態２）
図４は本発明の実施の形態２に係るディスクドライブ装置１の要部構成を示す模式的断面図である。本発明の実施の形態２に係るディスクドライブ装置１において、離脱阻止部材８は、本体２の天井壁２６（対向部材）と、天井壁２６に突設された柱形状の離脱阻止柱部８３,８３,８３,…とからなる。
【００４４】
本体２の天井壁２６の内側面２６１は、トレイ３が本体２内に収納された場合、回転テーブル４の上面４１と対向する対向面であり、離脱阻止柱部８３は内側面２６１に設けられている。
【００４５】
離脱阻止柱部８３,８３,８３,…は、下方に向けて、すなわち、トレイ３が本体２内に収納された場合における回転テーブル４の上面４１に向けて延びるように設けられている。離脱阻止柱部８３,８３,８３,…は弾性を有する例えばゴム、プラスチック等からなり、トレイ３が本体２内に収納された場合に、例えば２本ずつ、ディスクＤの真上に位置するように位置決めされている。好ましくは、前記２本の離脱阻止柱部８３は、前記ディスクＤの回転中心を基準に互いに対称となるように構成することが良い。
【００４６】
また、実施の形態１の場合と同様に、離脱阻止柱部８３,８３,８３,…は、回転テーブル４に載置されたディスクＤから適宜離隔するように構成されている。詳しくは、離脱阻止柱部８３,８３,８３,…の先端と、回転テーブル４に載置されたディスクＤとの間隔が、回転テーブル４の載置凹部５,５,５,…（１２ｃｍＣＤに対応する）の深さ以下になるように構成されている。従って、本体２の傾け又は外部からの衝撃等によって、載置凹部５,５,５,…からディスクＤが抜けだしそうな時、離脱阻止部材８（離脱阻止柱部８３,８３,８３,…）によって阻止され、ディスクＤの載置凹部５,５,５,…からの離脱を防止することが出来る。
【００４７】
実施の形態２においては、離脱阻止柱部８３,８３,８３,…が柱の形状である場合を例として説明したが、これに限るものでなく、ピン形状、柱状、球状、短冊形状等であっても良い。
【００４８】
なお、実施の形態２においては、離脱阻止柱部８３,８３,８３,…が載置されたディスクＤから離隔された場合を例として説明したが、これに限るものでない。例えば、離脱阻止柱部８３,８３,８３,…の先端が載置されたディスクＤに当接するように構成しても良い。斯かる場合、離脱阻止柱部８３,８３,８３,…は適宜変形するので、回転テーブル４の回転は邪魔されない。ひいては、載置凹部５,５,５,…に８ｃｍＣＤを載置した場合に、該８ｃｍＣＤに離脱阻止柱部８３,８３,８３,…の先端が当接するように構成しても良い。
【００４９】
また、実施の形態２においては、離脱阻止柱部８３,８３,８３,…が弾性を有する単一の部材から構成されている場合を例として説明したが、これに限るものでない。例えば、離脱阻止柱部８３,８３,８３,…と、天井壁２６の内側面２６１の間に、バネが介在するように構成しても良い。
【００５０】
また、実施の形態２においては、離脱阻止柱部８３,８３,８３,…が天井壁２６に突設された場合を例として説明したが、これに限るものでない。例えば、実施の形態１の離脱阻止板部８１のような、板材からなる保持部材（対向部材）を別に設け、該保持部材に離脱阻止柱部８３,８３,８３,…が突設されるように構成しても良い。
【００５１】
実施の形態１と同様の部分については、同一の符号を付して詳細な説明を省略する。
【００５２】
（実施の形態３）
本発明の実施の形態３に係るディスクドライブ装置は、実施の形態２に係るディスクドライブ装置と略同様な構成を有するが、実施の形態３に係るディスクドライブ装置１の回転テーブル４には、周方向に沿って溝が形成されており、回転テーブル４の構成において実施の形態２のそれと異なる。
【００５３】
図５は本発明の実施の形態３に係るディスクドライブ装置１の回転テーブル４を示す斜視図であり、図６は本発明の実施の形態３に係るディスクドライブ装置１の要部構成を示す模式的断面図である。
【００５４】
本発明の実施の形態３に係るディスクドライブ装置１においては、離脱阻止柱部８３,８３,８３,…が、実施の形態３の場合と同様に、トレイ３が本体２内に収納された場合における回転テーブル４の上面４１に向けて延びるように設けられている。しかし、本実施の形態３の離脱阻止柱部８３,８３,８３,…は、実施の形態２に係るディスクドライブ装置の離脱阻止柱部８３,８３,８３,…と長さ（又は突出長）が異なる。実施の形態２に係るディスクドライブ装置の離脱阻止柱部８３,８３,８３,…の場合は、回転テーブル４及び天井壁２６の間隔より短くなるように構成されている（図４参照）。本実施の形態３のディスクドライブ装置１の離脱阻止柱部８３,８３,８３,…の場合は、回転テーブル４及び天井壁２６の間隔より長くなるように構成されている。
【００５５】
また、回転テーブル４の上面４１には、回転テーブル４の周方向に沿って溝４２が形成されている。詳しくは、回転テーブル４が回転する際に、上方の離脱阻止柱部８３,８３,８３,…と整合する、回転テーブル４の上面４１上の位置に沿って、溝４２が凹設されている。
【００５６】
従って、本実施の形態３に係るディスクドライブ装置１においては、図６に示すように、回転テーブル４の回転の際に、離脱阻止柱部８３,８３,８３,…の先端部が溝４２内に挿入されることとなる。すなわち、回転テーブル４の回転によって離脱阻止柱部８３,８３,８３,…が回転テーブル４の載置凹部５,５,５,…の真上に位置する場合には、載置凹部５,５,５,…に載置されたディスクＤと離隔する状態で、該ディスクＤの載置凹部５,５,５,…からの離脱を防止する。一方、回転テーブル４の回転によって離脱阻止柱部８３,８３,８３,…が載置凹部５,５,５,…以外の回転テーブル４の上に位置する場合には、溝４２に挿入され、相対的には、離脱阻止柱部８３,８３,８３,…が溝４２に沿って移動することとなる。従って、回転テーブル４は離脱阻止柱部８３,８３,８３,…に邪魔されることなく、回転することが出来る。
【００５７】
実施の形態１と同様の部分については、同一の符号を付して詳細な説明を省略する。
【符号の説明】
【００５８】
１  ディスクドライブ装置
２  本体２
３  トレイ
４  回転テーブル（板部材）
５  載置凹部
６  ヘッドユニット（読取部材）
８  離脱阻止部材
２６  天井壁（対向部材）
４２  溝
８１  離脱阻止板部
８３  離脱阻止柱部（突出部）
８４  切欠
Ｄ  ディスク
【図１】
2011096314.tif 000003
【図２】
2011096314.tif 000004
【図３】
2011096314.tif 000005
【図４】
2011096314.tif 000006
【図５】
2011096314.tif 000007
【図６】
2011096314.tif 000008
【図７】
2011096314.tif 000009